(57)【特許請求の範囲】
【請求項１】
吸油率が１５％〜２４％、平均粒径が０．５ｍｍ〜２．０ｍｍであり、かつ硬度が４〜１４である粒状硝酸アンモニウムを用いる事を特徴とする爆薬。
【請求項２】
吸油率が１５％〜２４％、平均粒径が０．５ｍｍ〜２．０ｍｍであり、かつ硬度が４〜１４である粒状硝酸アンモニウムを爆薬中の硝酸アンモニウム全体量の２０％以上使用する事を特徴とする請求項１に記載の爆薬。
【請求項３】
混合時に液状である燃料成分を用いる事を特徴とする請求項１または２に記載の爆薬。
【発明の詳細な説明】
【０００１】
【産業上の利用分野】
本発明は、随道掘進、採石、採鉱、採岩等の産業用爆破作業に汎く利用される爆薬に関するものである。
【０００２】
【従来の技術】
産業用爆破作業に用いられている爆薬としては、ダイナマイト、含水爆薬、硝安爆薬及びＡＮＦＯ爆薬等が良く知られている。
【０００３】
これらの爆薬には主として硝酸アンモニウム（以下硝安と呼ぶ）が用いられている。ダイナマイトや硝安爆薬には吸油率が３％程度の粉状の硝安が用いられている。又含水爆薬の場合には、ゲル状又はエマルジョン状の基礎組成のみの場合もあるが、これに追加で吸油率８〜１２％程度の硝安が用いられる事もある。更にＡＮＦＯ爆薬では吸油率８〜１２％程度、粒径が１．１〜２ｍｍ程度、かつ硬度が４〜１０程度の粒状硝安が一般的に用いられている。
【０００４】
【発明が解決しようとする課題】
硝安は、爆薬中の酸化剤としては価格が安く、しかも化学的に安定であり極めて有用であるが、その反応性について言えば、例えば、ニトログリセリンやニトログリコールの様な爆発性化合物に較べてかなり低い事は、当業者の常識である。従って、産業用爆薬中に粉状又は粒状で硝安を用いた場合、例えば、ニトログリセリンやニトログリコールの様な爆発性化合物を単独で用いた場合に較べて、威力が低下するが、安価で安定という点から、これらの威力低下を補って余りあるという考えにより、汎く硝安が使用されている。しかし、この硝安の反応性を向上せしめれば、爆薬の威力を飛躍的に増大させ得る事が、当然期待されていたが、その方法が従来は見い出す事が出来なかったのが実情であった。
【０００５】
又ＡＮＦＯ爆薬については、例えば、粒状を保つ事が必要な為、一定の粒径あるいは硬度も必要な為、更にこの方法を見い出す事が困難な状況にあった。
【０００６】
【課題を解決する為の手段】
本発明者等は、硝安の各種物理的性質及び、その爆薬性能への影響度を鋭意研究した結果、吸油率が１５％〜２４％の粒状硝安又はその粉砕品をダイナマイトあるいは硝安爆薬、更には含水爆薬では基本組成に追加硝安として用いれば著しく威力が向上する事を見い出した。又吸油率が１５％〜２４％、平均粒径が０．５ｍｍ〜２．０ｍｍかつ硬度４〜１４の粒状硝安を混合時に液体の燃料成分と混合すると、従来ブースターでしか起爆せずＡＮＦＯ爆薬とされていた配合組成でも、雷管起爆性となり更には著しく威力が向上する事も見い出したものである。
【０００７】
本発明の爆薬で用いられる硝安は吸油率が１５％〜２４％（好ましくは１６％〜２３％）の粒状硝安又はその粉砕品であり、その性状は粉状でも粒状でもその都度用途によって選択できる。
【０００８】
以下の記述によって限定されるものでは無いが、ダイナマイト用や硝安爆薬用には吸油率が１５％〜２４％の粒状硝安の粉砕品を使用する方が好ましい。又含水爆薬の追加硝安用には、粉砕品を使用できるが、粒状硝安を使用する方が、安定性等への悪影響が少ない。又粒状を保たせた方が好ましい従来のＡＮＦＯ爆薬の様な用途には、吸油率が１５％〜２４％、平均粒径が０．５ｍｍ〜２．０ｍｍかつ硬度４〜１４である粒状硝安が使われる。
【０００９】
硝安の吸油率は、一定量の試料硝安を軽油に一定時間浸しておいた後、吸引濾過し、試験前後の重量差より油吸着量を見ることによって測定される。
【００１０】
詳しくは、試料硝安５０ｇを直径４０ｍｍ、深さ５０ｍｍの硝子フイルター（１１Ｇ−１）に入れ、上皿直視天秤で秤量し、これを真空装置にセットする。ついで硝子フイルター中に軽油４０ｍＬを注入し細い棒でよく撹拌し、硝安と軽油の混合接触を図る。５分間放置後、硝子フイルターに付属した下部のコックを開放し、２分間軽油を自然流下させる。引き続き真空ポンプにて５分間吸引（約３０Ｌ／ｍｉｎの流速）した後、軽油を吸着した試料硝安の入ったままの硝子フイルターを上皿直視天秤で秤量する。以上の測定を終えた後、元の試料硝安５０ｇに対する軽油吸着増量分（ｇ）の比率（％）を吸油率（％）として表示する。計算式は下記の通り。以上は産業火薬会法に定められた方法に準拠したものである。
【００１１】
【数１】
0003773270.tif 000002
【００１２】
硝安の吸油率は、主として粒の内部に分布する細孔の容積や有効径によって左右されるものであり、例えば細孔容積が大きければ粒内部に軽油を保持し得る空間が大となるので、吸油率が大となる。細孔容積と吸油率が、ほぼ正比例の相関関係にあることは一般的に知られた事実である。
【００１３】
粒子内部に多くの細孔を有する、いわゆるポーラス硝安は、もっぱら、調節された濃度の高温硝安溶融液を噴射造粒装置（プリリング・グラニュレータ又はプリリング・タワー）を通すことで造粒され、引き続く乾燥工程、冷却工程などを経て工業規模で製造されている。この製造過程に於いて、細孔容積、細孔有効径などは造粒工程に於ける硝安濃度や溶融液温度などの原料条件及び造粒装置、乾燥装置の操作条件が大きく支配しており、これを適当に調節することで、所望の吸油率のものが得られる。
【００１４】
硝安の平均粒径は、一定量の硝安を篩目の異なる各種篩を通し、各篩目毎の重量分布から測定される。
【００１５】
粒状硝安の硬度は、一定量の試料硝安を硬度測定装置により一定の条件で機械的に圧潰し、圧潰された量を見ることで測定される。
【００１６】
測定に使用される装置は、減速機を介して回転する垂直の回転軸上に水平に固定された回転軸と共に回転する受け皿（直径２００ｍｍ）とこの受け皿に重ねて落とし込む回転させない挽き皿（直径１９０ｍｍ、重量１７１５ｇ）から構成されている。
【００１７】
試料硝安５０ｇを硬度測定装置の受け皿に入れ、皿上全面に平均に拡げ、この上に挽き皿を重ねて、装置を起動する。一定時間経過後、装置を停止し、静止後、受け皿を取りだし中の試料を所定の篩に入れ、振盪機を使用して、１分間振盪させる。ついで篩通過の圧潰品を採取し、これを秤量し、元の試料硝安５０ｇに対する圧潰量（ｇ）の比率（％）を硬度（％）として表示する。計算式は下記の通り。以上は産業火薬会法に定められた方法に準拠したものである。
【００１８】
【数２】
0003773270.tif 000003
【００１９】
勿論これらの爆薬中で粉状と粒状の硝安を任意の比率で用いる事も出来る。
【００２０】
本発明者等は、又爆薬中の硝安全体量の少なくとも２０重量％以上を吸油率１５％〜２４％の粒状硝安又はその粉砕品とすると、高い爆薬の威力向上効果がある事を見い出した。
【００２１】
本発明の爆薬で粒状を保たせた方が好ましい従来のＡＮＦＯ爆薬の様な用途用に、粒状硝安と混合して用いられる燃料成分は、混合時に液体である燃料成分が用いられる。例としては、２号軽油、灯油等の鉱物油類、メチルアルコール、エチルアルコール等のアルコール類、植物油、動物油、更にはパラフィンワックス、マイクロクリスタリンワックスの様なワックス類、合成高分子類、更にはジニトロトルエンやジニトロキシレンの様なニトロ化合物類等が挙げられる。融点の高い燃料成分はそれが液状になる温度以上で、硝安と混合する事によって用いる事が出来る。
【００２２】
本発明の爆薬には、一般に当業者が良く知っている、澱粉、木粉、アルミ粉の様な金属粉等粉状の燃料粉末も、追加で使用する事が可能である。又本発明の爆薬には硝安以外の酸化剤例えば過塩素酸アンモニウム等の過塩素酸塩、硝酸ソーダ等の硝安以外の硝酸塩類、塩素酸カリの様な塩素酸塩類等を、吸油率１５％〜２４％の粒状硝安又はその粉砕品と組み合わせて用いる事もできる。
【００２３】
【作用】
上述の如く爆薬の酸化剤として吸油率が１５％〜２４％である粒状硝安又はその粉砕品を使用すると、従来の爆薬に較べて、その威力が著しく向上する。
【００２４】
【実施例】
本発明を実施例を挙げて、以下に詳しく説明する。
【００２５】
実施例１
粒状硝安（吸油率１６．９％、平均粒径１．７ｍｍ）６５．８部を粉砕し、粒径約０．１ｍｍとし、これにニトログリセリン１４．９部、ニトログリコール９．１部、ニトロセルロース１．５部、ジニトロトルエン４．１部、澱粉４．１部、界面活性剤類０．５部を加えて、良く混合しダイナマイトを製造した。これを３０ｍｍ径の紙筒中に１００ｇ充填した。
【００２６】
比較例１
粉状硝安（吸油率３．３％、平均粒径０．１ｍｍ）６５．８部を用い、その他は実施例１と同じ成分・量を配合し良く混合し、ダイナマイトを製造した。これを３０ｍｍ径の紙筒中に１００ｇ充填した。
【００２７】
実施例２
実施例１で使用した粉砕した硝安１４．５部と比較例１で用いた粉状硝安５１．３部を用い、その他は実施例１と同じ成分・量を配合し良く混合し、ダイナマイトを製造した。これを３０ｍｍ径の紙筒中に１００ｇ充填した。
【００２８】
実施例３
実施例１で用いた粉砕した硝安９４部と２号軽油６部を充分混合し、爆薬を製造した。ＪＩＳ鉄管中に約１５０ｇ充填した。
【００２９】
実施例４
実施例１で用いた粉砕した硝安８８部とジニトロトルエン（凝固点６９℃）１２部を７５℃で充分混合し爆薬を製造した。この爆薬をＪＩＳＫ−４８２６に規定された塩ビ雨どいに約２５０ｇ充填した。又ＪＩＳ鉄管中に約１５０ｇ充填した。
【００３０】
比較例２
比較例１で使用した粉状硝安９４部を実施例３と同様、２号軽油６部と充分混合した。ＪＩＳ鉄管中に約１５０ｇ充填した。
【００３１】
実施例５
粒状硝安（吸油率２２％、平均粒径１．４ｍｍ、硬度４．５）９４部と、２号軽油６部を充分混合し爆薬を製造した。この爆薬をＪＩＳＫ−４８２６に規定された塩ビ雨どいに約２５０ｇ充填した。又ＪＩＳ鉄管中に約１５０ｇ充填した。
【００３２】
比較例３
粒状硝安（吸油率１３．５％、平均粒径１．２ｍｍ、硬度５．１）９４部と２号軽油６部を充分混合し、爆薬を製造した。この爆薬をＪＩＳＫ−４８２６に規定された塩ビ雨どいに約２５０ｇ充填した。又ＪＩＳ鉄管中に約１５０ｇ充填した。
【００３３】
実施例６
実施例５で用いた粒状硝安２８．２部と比較例３で用いた粒状硝安６５．８部及び２号軽油６部を充分混合し、爆薬を製造した。この爆薬をＪＩＳＫ−４８２６に規定された塩ビ雨どいに約２５０ｇ充填した。又ＪＩＳ鉄管中に約１５０ｇ充填した。
【００３４】
実施例７
実施例５で用いた粒状硝安９４部とパラフィンワックス（融点５０〜５２℃）６部を６０℃で充分混合して、爆薬を製造した。この爆薬をＪＩＳＫ−４８２６に規定された塩ビ雨どいに約２５０ｇ充填した。又ＪＩＳ鉄管中に約１５０ｇ充填した。
【００３５】
比較例４
比較例３で用いた粒状硝安９４部とパラフィンワックス（融点５０〜５２℃）６部を実施例７と同じように混合し、爆薬を製造した。この爆薬をＪＩＳＫ−４８２６に規定された塩ビ雨どいに約２５０ｇ充填した。又ＪＩＳ鉄管中に約１５０ｇ充填した。
【００３６】
実施例８
実施例５で用いた粒状硝安２３．５部と比較例３で用いた粒状硝安７０．５部とパラフィンワックス（融点５０〜５２℃）６部を実施例７と同じ様に混合し、爆薬を製造した。この爆薬をＪＩＳＫ−４８２６に規定された塩ビ雨どいに約２５０ｇ充填した。又ＪＩＳ鉄管中に約１５０ｇ充填した。
【００３７】
実施例１、２及び比較例１の薬包を使用して弾道振子試験を行い弾道振子値を測定した。
【００３８】
実施例４〜８、比較例３〜４のＪＩＳＫ−４８２６に規定された塩ビ雨どいに充填した薬包をＪＩＳに従い６号雷管で起爆試験した。又実施例３〜８、比較例２〜４のＪＩＳ鉄管に充填した爆薬を、ペントライトブースター３０ｇを取りつけた６号雷管により起爆し、爆速を測定した。試験結果を表１に示す。
【００３９】
【表１】
0003773270.tif 000004
【００４０】
【発明の効果】
実施例１、２と比較例１の弾道振子値を較べれば、本発明による爆薬が、大きな威力増大を示している事が明らかである。
【００４１】
又実施例４〜８と比較例３〜４の６号雷管起爆試験結果を較べれば、本発明による爆薬の感度が比較例に較べて、大きく向上している事が明らかであり、又実施例３〜８と比較例２〜４の爆速を較べれば、威力の指数である爆速が、本発明による爆薬で著しい向上が見られる事は明白である。